(57)【要約】【課題】配線のための加工が不要であり、しかも造作材に大型材がなく少人数で施工が可能なふかし壁の施工方法を提供する。【解決手段】凸型ふかし壁Ａを既設壁に施工する方法である。凸型ふかし壁Ａに用いられるふかしパネル１の設置幅に合わせて既設壁の壁面材７を切除し、切除部分の両側にて既設壁内の柱１１を露出させる。柱１１の室内側露出面１１ａに上下方向にて複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとする。左右のパネル取付材３ａ・３ｃ〜３ｎ間に架設されるようにふかしパネル１を取り付ける。ふかしパネル１の背面側にてパネル取付材３ａ・３ｃ〜３ｎの外側面に照明器具５を設置する。照明器具５の配線６を前記配線用空隙Ｋを通して既設壁内に配置する。【選択図】図１
2018155025.tif 000002
【特許請求の範囲】
【請求項１】
凸型ふかし壁に用いられるふかしパネルの設置幅に合わせて既設壁の壁面材を切除し、切除部分の両側にて既設壁内の柱を露出させ、
前記柱の室内側露出面に上下方向にて複数のパネル取付材の内、設置される照明器具の配線に合わせて選択されたパネル取付材をそれぞれ取り付けて、排除されたパネル取付材の空隙部分を配線用空隙とし、
前記左右のパネル取付材間に架設されるようにふかしパネルを取り付け、
前記ふかしパネルの背面側にてパネル取付材の外側面に照明器具を設置し、
照明器具の配線を前記配線用空隙を通して既設壁内に配置することを特徴とする凸型ふかし壁の施工方法。
【請求項２】
既設壁の既設コンセントが設置されている部位を含む部分を凸型ふかし壁の設置部位とし、
新設の壁面材を介して該設置部位の既設壁内の左右一対の柱に、その上下方向にて複数のパネル取付材の内、設置される照明器具の配線に合わせて選択されたパネル取付材をそれぞれ取り付けて、排除されたパネル取付材の空隙部分を配線用空隙とし、
前記左右のパネル取付材間に架設されるようにふかしパネルを取り付け、
前記ふかしパネルの背面側にてパネル取付材の外側面に照明器具を設置し、
照明器具の配線を前記配線用空隙を通して既設コンセントに接続するように施工することを特徴とする。凸型ふかし壁の施工方法。
【請求項３】
凸型ふかし壁に用いられるふかしパネルの設置幅を残し、且つ該設置部位の両側に新設壁の柱が室内に露出するように新設の壁面材を張り、
前記柱の室内側露出面に上下方向にて前記新設の壁面材に沿い、複数のパネル取付材の内、設置される照明器具の配線に合わせて選択されたパネル取付材をそれぞれ取り付けて、排除されたパネル取付材の空隙部分を配線用空隙とし、
前記左右のパネル取付材間に架設されるようにふかしパネルを取り付け、
前記ふかしパネルの背面側にてパネル取付材の外側面に照明器具を設置し、
照明器具の配線を前記配線用空隙を通して新設壁内に配置することを特徴とする凸型ふかし壁の施工方法。
【請求項４】
凹型ふかし壁に用いられるふかしパネルの設置幅に合わせて既設壁の壁面材を切除し、切除部分の両側にて既設壁内の柱を露出させ、
ふかし壁の設置部位の左右の柱の室内側露出面間に架設されるようにふかしパネルを張り、
前記柱の室内側露出面に上下方向にてふかしパネルに沿い、複数のパネル取付材の内、設置される照明器具の配線に合わせて選択されたパネル取付材をそれぞれ取り付けて、排除されたパネル取付材の空隙部分を配線用空隙とし、
前記ふかしパネルの両側に於いて、パネル取付材の前面に、新設の壁面材を取り付け、
前記新設の壁面材の背面側にてパネル取付材の内側面に沿って照明器具を設置し、
前記配線用空隙を通して照明器具の配線を新設壁内に配置することを特徴とする凹型ふかし壁の施工方法。
【請求項５】
凹型ふかし壁に用いられるふかしパネルの設置幅に合わせて該設置部位の両端の新設壁の柱の室内側露出面間に架設されるようにふかしパネルを張り、
前記柱の室内側露出面に上下方向にてふかしパネルに沿い、複数のパネル取付材の内、設置される照明器具の配線に合わせて選択されたパネル取付材をそれぞれ取り付けて、排除されたパネル取付材の空隙部分を配線用空隙とし、
前記ふかしパネルの両側に於いて、パネル取付材の前面に、新設の壁面材を取り付け、
前記壁面材の背面側にてパネル取付材の内側面に沿って照明器具を設置し、
前記配線用空隙を通して照明器具の配線６を新設壁内に配置することを特徴とする凹型ふかし壁の施工方法。
【請求項６】
請求項１〜３のいずれかに記載の施工方法において、パネル取付材に代えて、複数本個に分割された補強材と、ふかし壁の高さに合致した長さの下地板と、所定間隔で配線孔が穿設された縦片とこれから延出された横片とを有し、下地板と同じ長さの表面材とが備えられ、
下地板は、前記柱の室内側露出面に設置され、
前記複数の補強材は、その内で、設置される照明器具の配線に合わせて選択された補強材をそれぞれ下地板に上下方向に取り付けて、排除された補強材の空隙部分を配線用空隙とし、
上下方向に並んだ補強材の外側面に表面材の縦片を取り付けると共に横片にて補強材の表面を覆い、
左右の表面材の横片間に架設されるようにふかしパネルを取り付け、
前記ふかしパネルの背面側にて表面材の縦片の外側面に照明器具を設置し、
照明器具の配線を前記縦片の配線孔及び前記配線用空隙を通して既設壁、又は新設壁内に配置することを特徴とする凸型ふかし壁の施工方法。
【請求項７】
請求項４又は５の施工方法において、パネル取付材に代えて、複数本個に分割された補強材と、ふかし壁の高さに合致した長さの下地板と、所定間隔で配線孔が穿設された縦片とこれから延出された横片とを有し、下地板と同じ長さの表面材とが備えられ、
下地板は、前記柱の室内側露出面に設置され、
前記複数の補強材は、その内で、設置される照明器具の配線に合わせて選択された補強材をそれぞれ下地板に上下方向に取り付けて、排除された補強材の空隙部分を配線用空隙とし、
上下方向に並んだ補強材の内側面に表面材の縦片を取り付けると共に横片にて補強材の表面を覆い、
ふかしパネルの両側にて左右の表面材の横片に新設の壁面材を取り付け、
前記新設の壁面材の背面側にて表面材の縦片の内側面に沿って照明器具を設置し、
照明器具の配線を前記縦片の配線孔及び前記配線用空隙を通して既設壁、又は新設壁内に配置することを特徴とする凹型ふかし壁の施工方法。
【請求項８】
照明器具と、
前記照明器具に合わせて選択的に使用され、ふかし壁施工部位にて既設壁、又は新設壁の柱に固定されるパネル取付材と、
柱に固定されたパネル取付材間、又は柱間に架設されるふかしパネルとで構成されることを特徴とする請求項１〜５のいずれかに記載の施工方法において使用されるふかし壁ユニット。
【請求項９】
照明器具と、
ふかし壁施工部位にて既設壁、又は新設壁の柱に固定され、ふかし壁の高さに合致した長さの下地板と、
設置される照明器具の配線に合わせて選択され、前記下地板に上下方向に取り付けられる複数の補強材と、
所定間隔で配線孔が穿設された縦片とこれから延出された横片とを有し、下地板と同じ長さの表面材と、
前記表面材の横片間、又は柱間に架設されるふかしパネルとで構成されることを特徴とする請求項６又は７に記載の施工方法において使用されるふかし壁ユニット。
【発明の詳細な説明】
【技術分野】
【０００１】
本発明は、ふかし壁を新築住宅は勿論、既存の壁面に簡便に設置できるふかし壁の施工方法及びふかし壁ユニットに関する。
【背景技術】
【０００２】
従来、床面から天井面に至るふかし壁を既存の壁面に設けるためには、現場造作としてふかし壁に合わせた長さや太さを持つ柱材やパネル材を準備し、現場に合わせて施工していた。その際には、照明器具を取り付ける配線加工なども現場で行うため、照明器具に合わせて柱材その他必要部分に配線孔を現場加工で開ける必要があり手間のかかる作業であった。
【０００３】
その対策として簡易に配線可能な貫通孔を多数穿設した柱体を事前に作成し、現場に納入し、これを現場で必要長さに切断加工することも考えられるが、前述のようにふかし壁に合わせた長さや太さを持つ重くて太い柱材を現場で取り扱うのは容易ではない。加えて、ふかし壁を組み上げた状態で納入していたが、この場合には全体の重量が重く且つ大きいため、複数人での作業が必須となるだけでなく、現場での微調整等にかなりの労力を要するという問題があった。なお、この点は新築家屋でも基本的には同様である。
【０００４】
ふかし壁とは若干異なるが、同様の問題を抱える内装壁を先行技術文献として以下に示す。
【先行技術文献】
【特許文献】
【０００５】
【特許文献１】特開２００５−１４６６５１号公報
【発明の概要】
【発明が解決しようとする課題】
【０００６】
本発明は、配線のための加工が不要であり、しかも造作材に大型材がなく少人数で施工が可能なふかし壁の施工方法とそのふかし壁ユニットを提供することを課題とする。
【課題を解決するための手段】
【０００７】
ふかし壁には凸型（Ａで示す）と凹型（Ｂで示す）とがあり、これを既設壁、又は新設壁に施工する場合がある。
凸型ふかし壁Ａで既設壁に施工する場合、施工部位の既設の壁面材７を切除し、その部分に凸型ふかし壁Ａを設ける場合（図１〜図３、図７〜図１０）と、既設壁は切除せずそのままにして既設コンセント４のある部分を施工部位とし、その前面に凸型ふかし壁Ａを設ける場合（図４）の２パターンがある。
凸型ふかし壁Ａで新設壁に施工する場合、施工時点では壁面材は張られておらず、柱１１や間柱１２が剥き出しの状態であり、左右一対の柱１１の間を施工部位とし、該施工部位の前面に凸型ふかし壁Ａを施工し、施工部位の両側には新設の壁面材９を張ることになる（図１、図３）。
凹型ふかし壁Ｂで既設壁に施工する場合には、前記同様、施工部位の壁面材７を切除し、その部分に凹型ふかし壁Ｂを設ける（図６、図１１〜図１３）ことになる。凹型ふかし壁Ｂで新設壁に施工する場合には、前記同様、左右一対の柱１１の間を施工部位とし、該施工部位に新設の壁面材９を施工し、施工部位の両側に新設の壁面材９を「ふかし」て張ることになる（図６、図１１〜図１３）。
なお、図１〜図６までは、図７〜図１３に示す補強材３１ａ〜３１ｎと下地板３２及びＴ形の表面材３３をまとめたパネル取付材３ａ〜３ｎによる組み立て例を示す。
【０００８】
請求項１に記載の発明は、上記のように凸型ふかし壁Ａの既設壁に対する第１の施工方法で（図１〜図３、図７〜図１０）、
凸型ふかし壁Ａに用いられるふかしパネル１の設置幅に合わせて既設壁の壁面材７を切除し、切除部分の両側にて既設壁内の柱１１を露出させ、
前記柱１１の室内側露出面１１ａに上下方向にて複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとし、
前記左右のパネル取付材３ａ・３ｃ〜３ｎ間に架設されるようにふかしパネル１を取り付け、
前記ふかしパネル１の背面側にてパネル取付材３ａ・３ｃ〜３ｎの外側面に照明器具５を設置し、
照明器具５の配線６を前記配線用空隙Ｋを通して既設壁内に配置することを特徴とする。
【０００９】
請求項２に記載の発明は、凸型ふかし壁Ａの既設壁に対する第２の施工方法で（図４）、
既設壁の既設コンセント４が設置されている部位を含む部分をふかし壁Ａの設置部位とし、
新設の壁面材９を介して該設置部位の既設壁内の左右一対の柱１１に、その上下方向にて複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとし、
前記左右のパネル取付材３ａ・３ｃ〜３ｎ間に架設されるようにふかしパネル１を取り付け、
前記ふかしパネル１の背面側にてパネル取付材３ａ・３ｃ〜３ｎの外側面に照明器具５を設置し、
照明器具５の配線６を前記配線用空隙Ｋを通して既設コンセント４に接続するように施工することを特徴とする。
【００１０】
請求項３に記載の発明は、凸型ふかし壁Ａの新設壁に対する施工方法で（新設壁は既設の壁面材７がなく、柱１１や間柱１２が露出しているだけなので、図１、図３を用いて説明する。）、
凸型ふかし壁Ａに用いられるふかしパネル１の設置幅を残し、且つ該設置部位の両側に新設壁の柱１１が室内に露出するように新設の壁面材９を張り、
前記柱１１の室内側露出面１１ａに上下方向にて前記新設の壁面材９に沿い、複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとし、
前記左右のパネル取付材３ａ・３ｃ〜３ｎ間に架設されるようにふかしパネル１を取り付け、
前記ふかしパネル１の背面側にてパネル取付材３ａ・３ｃ〜３ｎの外側面に照明器具５を設置し、
照明器具５の配線６を前記配線用空隙Ｋを通して新設壁内に配置することを特徴とする。
【００１１】
請求項４に記載の発明は、凹型ふかし壁Ｂの既設壁に対する施工方法で（図６、図１１〜図１３）、
ふかし壁Ｂに用いられるふかしパネル１の設置幅に合わせて既設壁の壁面材７を切除し、切除部分の両側にて既設壁内の柱１１を露出させ、
ふかし壁Ｂの設置部位の左右の柱１１の室内側露出面１１ａ間に架設されるようにふかしパネル１を張り、
前記柱１１の室内側露出面１１ａに上下方向にてふかしパネル１に沿い、複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとし、
前記ふかしパネル１の両側に於いて、パネル取付材３ａ・３ｃ〜３ｎの前面に、新設の壁面材９を取り付け、
前記新設の壁面材９の背面側にてパネル取付材３ａ・３ｃ〜３ｎの内側面に沿って照明器具５を設置し、
前記配線用空隙Ｋを通して照明器具５の配線６を新設壁内に配置することを特徴とする。
【００１２】
請求項５に記載の発明は、凹型ふかし壁Ｂの新設壁に対する施工方法で（図６、図１１〜図１３）、
ふかし壁Ｂに用いられるふかしパネル１の設置幅に合わせて該設置部位の両端の新設壁の柱１１の室内側露出面１１ａ間に架設されるようにふかしパネル１を張り、
前記柱１１の室内側露出面１１ａに上下方向にてふかしパネル１に沿い、複数のパネル取付材３ａ〜３ｎの内、設置される照明器具５の配線６に合わせて選択されたパネル取付材３ａ・３ｃ〜３ｎをそれぞれ取り付けて、排除されたパネル取付材３ｂの空隙部分を配線用空隙Ｋとし、
前記ふかしパネル１の両側に於いて、パネル取付材３ａ・３ｃ〜３ｎの前面に、新設の壁面材９を取り付け、
前記壁面材９の背面側にてパネル取付材３ａ・３ｃ〜３ｎの内側面に沿って照明器具５を設置し、
前記配線用空隙Ｋを通して照明器具５の配線６を新設壁内に配置することを特徴とする。
【００１３】
請求項６は、請求項１〜３の施工方法（凸型ふかし壁Ａ）において、パネル取付材３ａ〜３ｎに代えて、複数本個に分割された補強材３１ａ〜３１ｎと、ふかし壁Ａの高さに合致した長さの下地板３２と、所定間隔で配線孔３３ａが穿設された縦片３３ｂとこれから延出された横片３３ｃとを有し、下地板３２と同じ長さの表面材３３とが備えられ、
下地板３２は、前記柱１１の室内側露出面１１ａに設置され、
前記複数の補強材３１ａ〜３１ｎは、その内で、設置される照明器具５の配線６に合わせて選択された補強材３１ａ・３１ｃ〜３１ｎをそれぞれ下地板３２に上下方向に取り付けて、排除された補強材３１ｂの空隙部分を配線用空隙Ｋとし、
上下方向に並んだ補強材３１ａ・３１ｃ〜３１ｎの外側面に表面材３３の縦片３３ｂを取り付けると共に横片３３ｃにて補強材３１ａ・３１ｃ〜３１ｎの表面を覆い、
左右の表面材３３の横片３３ｃ間に架設されるようにふかしパネル１を取り付け、
前記ふかしパネル１の背面側にて表面材３３の縦片３３ｂの外側面に照明器具５を設置し、
照明器具５の配線６を前記縦片３３ｂの配線孔３３ａ及び前記配線用空隙Ｋを通して既設壁、又は新設壁内に配置することを特徴とする。
【００１４】
請求項７は、請求項４又は５の施工方法（凹型ふかし壁Ｂ）において、パネル取付材３ａ〜３ｎに代えて、複数本個に分割された補強材３１ａ〜３１ｎと、ふかし壁Ｂの高さに合致した長さの下地板３２と、所定間隔で配線孔３３ａが穿設された縦片３３ｂとこれから延出された横片３３ｃとを有し、下地板３２と同じ長さの表面材３３とが備えられ、
下地板３２は、前記柱１１の室内側露出面１１ａに設置され、
前記複数の補強材３１ａ〜３１ｎは、その内で、設置される照明器具５の配線６に合わせて選択された補強材３１ａ・３１ｃ〜３１ｎをそれぞれ下地板３２に上下方向に取り付けて、排除された補強材３１ｂの空隙部分を配線用空隙Ｋとし、
上下方向に並んだ補強材３１ａ・３１ｃ〜３１ｎの内側面に表面材３３の縦片３３ｂを取り付けると共に横片３３ｃにて補強材３１ａ・３１ｃ〜３１ｎの表面を覆い、
ふかしパネル１の両側にて左右の表面材３３の横片３３ｃに新設の壁面材９を取り付け、
前記新設の壁面材９の背面側にて表面材３３の縦片３３ｂの内側面に沿って照明器具５を設置し、
照明器具５の配線６を前記縦片３３ｂの配線孔３３ａ及び前記配線用空隙Ｋを通して既設壁、又は新設壁内に配置することを特徴とする。
【００１５】
請求項８は、請求項１〜５のいずれかに記載の施工方法において使用されるふかし壁ユニットで、
照明器具５と、
前記照明器具５に合わせて選択的に使用され、ふかし壁施工部位にて既設壁、又は新設壁の柱１１に固定されるパネル取付材３ａ〜３ｎと、
柱１１に固定されたパネル取付材３ａ〜３ｎ間、又は柱１１間に架設されるふかしパネル１とで構成されることを特徴とする。
【００１６】
請求項９は、請求項６又は７に記載の施工方法において使用されるふかし壁ユニットで、
照明器具５と、
ふかし壁施工部位にて既設壁、又は新設壁の柱１１に固定され、ふかし壁Ａの高さに合致した長さの下地板３２と、
設置される照明器具５の配線６に合わせて選択され、前記下地板３２に上下方向に取り付けられる複数の補強材３１ａ〜３１ｎと、
所定間隔で配線孔３３ａが穿設された縦片３３ｂとこれから延出された横片３３ｃとを有し、下地板３２と同じ長さの表面材３３と、
前記表面材３３の横片３３ｃ間、又は柱１１間に架設されるふかしパネル１とで構成されることを特徴とする。
【発明の効果】
【００１７】
本発明では、複数に分割された短いパネル取付材３ａ〜３ｎ或いは補強材３１ａ〜３１ｎを使用するので、照明器具５に合わせてそのいずれかを取捨選択でき、現場での配線用空隙Ｋを設けるための加工が不要となる。加えて、分割された短いパネル取付材３ａ〜３ｎ或いは補強材３１ａ〜３１ｎを使用するので、軽量であり現場での取り扱いが簡単であるという利点がある。
【図面の簡単な説明】
【００１８】
【図１】本発明の凸型ふかし壁の斜視図である。
【図２】図１の分解斜視図である。
【図３】図１で、既設壁の一部を切除した場合、又は新設壁に施工した場合の平断面図である。
【図４】既設壁を残したまま施工した場合の平断面図である。
【図５】本発明のふかしパネルの一部分解斜視図である。
【図６】本発明の凹型ふかし壁の斜視図である。
【図７】本発明の凸型ふかし壁の他の例の斜視図である。
【図８】図７の要部拡大断面斜視図である。
【図９】図７の平断面図である。
【図１０】図７の分解斜視図である。
【図１１】本発明の凹型ふかし壁の他の例の斜視図である。
【図１２】図１１の要部拡大断面斜視図である。
【図１３】図１１の平断面図である。
【発明を実施するための形態】
【００１９】
以下、本発明を図示実施例に従って説明する。既に述べたようにふかし壁には凸型Ａと凹型Ｂとがあり、これを既設壁、又は新設壁に施工する場合がある。ふかし壁施工には、複数の部材を組み合わせたふかし壁ユニットが用いられ、従来例で述べたように事前に組み立てた大重量のふかし壁の施工困難性を排除するために現場組み立て方式が採用されている。
【００２０】
施工対象となる既設壁の壁面材７は、施工部位を含む壁面全体に表面にクロスなどの装飾シートが張られている。既設壁でも既設の壁面材７を全部取り外す場合も考えられるが、この場合の施工は新設壁に準じることになる。
既設壁の壁内部には、所定間隔で太い柱１１が設置されており、柱１１間に細い間柱１２が設置されている。既設壁の施工部位には、図４に示すように、既設コンセント４が設置されている場合があり、配線を考慮するに当たってはこの既設コンセント４を利用する場合もある。既設壁を施工する場合、配線の関係から既設コンセント４がない場合、又はこれを利用できない場合には施工幅に合わせて施工部位が切除される。
施工対象が新設壁の場合は、施工部位には新設の壁面材９が張られていないので、直ちに施工に掛れる。新設の壁面材９の基材としては、例えば石膏ボードや厚手の合板、パーティクルボードなどが用いられ、後述するようにその上にクロスや化粧材が取り付けられる。
【００２１】
以下、図１〜図３及び図５に従って、本発明の第１実施例を説明する。第１実施例に使用されるふかし壁ユニットは、凸型ふかし壁Ａ用で、主として照明器具５と、パネル取付材３ａ〜３ｎ、及びふかしパネル１とで構成される。
ふかしパネル１は１枚ものでも良いが、複数枚に分割された分割パネル１ａを用いてもよい。ふかしパネル１や分割パネル１ａには見切材２０、ジョイント部材２２、更にはパネル側端納め部材２４などが用いられる。ここでは分割パネル１ａを用いる場合を例に取って説明する。パネル取付材３ａ〜３ｎ以外の部材は本発明において共通である。第１実施例で対象となる壁は既設壁である。
【００２２】
凸凹型ふかし壁Ａ・Ｂにおける照明は、通常、間接照明で、使用される照明器具５は、長尺の蛍光灯やＬＥＤを一列に並べたライン照明装置で、いずれかの部分（通常は両端或いは一端）から配線６が引き出されている。
【００２３】
パネル取付材３ａ〜３ｎはｎ本で構成され、長短がある。基本的には１００ｍｍと３００ｍｍ、或いは １,１００ｍｍのもので構成されている。材質的には単板積層材（平行合板／ＬＶＬ）、集成材、中密度繊維板（ＭＤＦ）、パーティクルボード（ＰＢ）などの角棒状の木質材料にて構成されている。図１では、長いものと短いものを一列に並べて使用するようにしている。勿論、短いものだけを並べてもよい。長いものと短いものを使用する場合は、配線６が来ることが多い上端部分及び／又は下端部分に短いものを使用し、中央部分に長いものを使用するのが普通である。なお、パネル取付材を上位概念で示す場合は、単なる「３」で示す。
【００２４】
ふかしパネル１は、１枚ものでも良いが、取り扱いの点から複数に分割されている。分割されているものを分割パネル１ａとし、組み立ててふかしパネル１とする。本実施例では複数に分割されている場合を採用する。
分割パネル１ａは図５に示すように、長方形の板材で、背面材は上記同様、ＭＤＦ、ＬＶＬ、ＰＢなど木質材が使用され、その表面側にダイヤ形、波形、サーフ（なだらかな波形の筋目模様）など幾何学的模様、木目模様、その他の模様が表されたオレフィンシートやポリサンドシート他の樹脂シートが貼着されている。勿論、仕上げにクロス張りという選択も可能なので、その場合は、化粧用の樹脂シートなしのもの基板が用意される。
図示していないが、分割パネル１の長辺は実加工なしの場合や、長辺側が実加工されているものがある。
組み立てた時に予定されたふかしパネル１より大である場合、両側に位置する分割パネル１ａに余分な分は現場で切除される。組み立ては現地で行われる。
【００２５】
見切材２０はアルミ押出成形品で、断面Ｌ形である。組み立てられたふかしパネル１の周囲と前面を覆う。図５の場合は、分割パネル１ａは横長に用いられ、見切材２０は縦勝ちに施工されている。（勿論、縦長で横勝ちも可能である。）
【００２６】
ジョイント部材２２は断面Ｔ形のアルミ押出成形品で、実加工がない分割パネル１ａの接合に用いられる。縁被覆片２２ａと、縁被覆片２２ａの中央から直角に突出している脚片２２ｂとで構成されている。
【００２７】
パネル側端納め部材２４もアルミ押出成形品で、コ字状部２４ａと、コ字状部２４ａの１つの角辺からコ字状部２４ａの中央片に沿って延出されている遮光片２４ｂとで構成されている(図２参照)。コ字状部２４ａの開口内寸や遮光片２４ｃの幅については後述する。
【００２８】
次に、第１実施例の施工手順について説明する。凸型ふかし壁Ａのふかしパネル１の設置幅に合わせて既設の壁面材７を切除し、切除部分の両側にて既設壁内の柱１１の内側部分を露出させる。前記柱１１の外側部分には既設の壁面材７の切断端が被っている（図２参照）。左右の柱１１の間には１乃至数本の間柱１２が立設されており、切除面から室内側に露出している。
【００２９】
複数のパネル取付材３ａ〜３ｎの内、設置される照明器具５の配線６に合わせて使用するパネル取付材３ａ・３ｃ〜３ｎを選択し、既設の壁面材７の切断端に沿って柱１１の室内側露出面１１ａに上下方向１列にビス止めする。ビズ止め作業はパネル取付材３ａ・３ｃ〜３ｎが短く、取り扱いやすいので現場施工が楽である。使用しないパネル取付材３ｂの位置が明くので、この部分が配線用空隙Ｋとなる。パネル取付材３ａ・３ｃ〜３ｎの厚みは、最小で既設の壁面材７の厚みと照明装置５の収納幅を加えた大きさである。
【００３０】
次に（或いはこれに先んじて）、ふかしパネル１を用意する。ここでは、分割パネル１ａを組み立ててふかしパネル１を形成する場合を説明する。分割パネル１ａは上記のように実ありのものと、実なしの２種類がある。
実ありの分割パネル１ａは実結合を行う。パネル状に実結合された、両端の実ありの分割パネル１ａの端部の実は不要なので、ふかしパネル１の高さ（又は幅）に合わせて事前に切除される。分割パネル１ａが実結合されたパネルの周囲には見切材２０が縦勝ち（又は横勝ち）で接着される。
実なしの分割パネル１ａは、Ｔ形のジョイント部材２２の脚片２２ｂを挟むようにして接着結合し、パネル状とする。そして、分割パネル１ａを接着結合したパネルの周囲には上記同様見切材２０が縦勝ち（又は横勝ち）接着される。なお、分割パネル１ａの余分な部分は事前に切除される。
【００３１】
次に、左右の柱１１に取り付けた前記パネル取付材３ａ・３ｃ〜３ｎ間に架設されるようにふかしパネル１を取り付ける。この時、必要に応じて、間柱１２の室内側露出面１２ａに予め補強間柱１４を取り付けておき、ふかしパネル１の背面に補強間柱１４を取り付け、ふかしパネル１の背面からの補強を行う。
【００３２】
次に、ふかしパネル１の背面側にてパネル取付材３ａ・３ｃ〜３ｎの外側面に照明器具５を設置し、前記配線用空隙Ｋを通して照明器具５の配線６を既設壁内に引き込む。（或いは、既設壁内の配線に照明器具５の配線６を接続する。）即ち、照明器具５の配線６を既設壁内に配置する。
【００３３】
最後に、ふかしパネル１の両側端にパネル側端納め部材２４のコ字状部２４ａを嵌める。コ字状部２４ａの一稜線から本体片と平行に伸びる遮光片２４ｂは既設の壁面材７方向に伸びる。ただし、遮光片２４ｂは既設の壁面材７に届かない長さで、既設の壁面材７との間に露光間隙Ｒを形成する。
なお、照明器具５が収納された、ふかしパネル１の端部、パネル取付材３ａ・３ｃ〜３ｎ、既設の壁面材７及び遮光片２４ｂで囲まれた空間を照明器具収納空間Ｈとする。前記露光間隙Ｒは照明器具収納空間Ｈの全長に亘ってスリット状に設けられる。
【００３４】
以上のようにして凸型ふかし壁Ａは組み立てられるが、既設の壁面材７には従来のクロスなどが貼られたままになる。ふかしパネル１のデザインと既設壁のデザインとの統合性を取る必要がある場合は、ふかしパネル１のデザインとマッチする分割パネルを組み立て、既設壁の表面に貼り付けるようにしてもよいし、別途、必要な養生を行い、クロスを張り変えてもよい。
これに対して、ふかしパネル１が基材だけで、ふかしパネル１の表面にクロスを張るような場合は、ふかしパネル１にクロスを張ると共に、必要な養生を行い、既設壁の表面にもふかしパネル１のクロスにマッチするクロスを張ることになる。
【００３５】
以上のように全部材が、扱いが簡単な小型の部材で構成されているため、図１に示すような凸型ふかし壁Ａが、少人数で既設壁に現場施工で設けることができた。
このふかし壁Ａの照明器具５を点灯すると、ふかしパネル１の両側に存在する前記スリット状の露光間隙Ｒから光が漏れてその近傍を間接的に照明する。
【００３６】
次に、第２実施例を図４に従って説明する。この場合は、既設コンセント４が既設壁に設置されていて、既設壁の壁内に照明器具５の配線６を引き込む必要がない場合である。既設コンセント４の設置位置がふかし壁Ａの設置位置である場合、既設壁の切除作業は不要となる。従って、パネル取付材３ａ〜３ｎの取り付けは、既設壁の壁面材７を介して柱１１に取り付けられる。同様に補強間柱１４も既設の壁面材７を介して間柱１２に取り付けられる。それ以外の手順は第１実施例と同じである。なお、設置された照明器具５の配線６は既設コンセント４に接続される。
【００３７】
第３実施例は、凸型ふかし壁Ａを新設壁に設置する場合である（図１、３）。この場合は、壁面材が設置されておらず、柱１１や間柱１２が室内側に露出しているので、凸型ふかし壁Ａのふかしパネル１の両側に新設の壁面材９が施工される。なお、既設壁であっても既設の壁面材７の全体が撤去される場合は、新設壁の手順に従って施工される。
この凸型ふかし壁Ａの施工手順は、既設の壁面材７の切除作業がない点と、ふかしパネル１の両側に新設の壁面材９を施工する点以外は第１実施例を同じである。即ち、ふかしパネル１の施工の施工後、又は施工前に、ふかしパネル１の両側に新設の壁面材９を張ることになる。新設の壁面材９はふかしパネル１とマッチするデザインのものが選ばれる。
【００３８】
第４実施例は、凹型ふかし壁Ｂを既設壁に施工する場合である。ふかしパネル１の設置位置と、照明器具５の露光方向が異なるだけで、組み立て手順は基本的には第１実施例と同じである(図６)。
この場合は、ふかしパネル１とパネル取付材３ａ〜３ｎとを並べて柱１１に直接取り付けるので、既設壁の壁面材７の切除幅はパネル取付材３ａ〜３ｎの取り付け幅の分だけふかしパネル１の設置幅より大きくなる。なお、凹型ふかし壁Ｂの場合は、切除されなかった既設の壁面材７そのまま残され（或いは、撤去され）、その上に後述するように新設の壁面材９が設置される
【００３９】
以下、簡単に説明する。まず、ふかし壁Ｂの設置幅に合わせて既設の壁面材７を切除し、切除部分の両側にて既設壁内の柱１１を露出させる。切除幅は上述のようにふかしパネル１の設置幅より大きくなる。そして、第１実施例のように組み立てたふかしパネル１を凹型ふかし壁Ｂの設置部位の左右の柱１１の室内側露出面１１ａの内側縁辺間に架設されるように張る。この場合は、間柱１２が存在する場合、ふかしパネル１を背面から支えるように両者を固定する。
【００４０】
ふかしパネル１の側縁と、その両側に残った既設の壁面材７切断端との間の隙間に柱１１の室内側露出面１１ａが顔をのぞかせている。この部分にパネル取付材３ａ〜３ｎの内の選択されたものを取り付ける。その後、凹型に取り付けたふかしパネル１の両側にて、前記柱１１の室内側露出面１１ａに上下方向にふかしパネル１に沿い、複数のパネル取付材３ａ〜３ｎの内、設置される照明器具５の配線６に合わせて選択されたパネル取付材３ａ・３ｃ〜３ｎをビス止めにてそれぞれ取り付ける。排除されたパネル取付材３ｂの空隙部分が配線用空隙Ｋである。
【００４１】
続いて、パネル取付材３ａ〜３ｎに新設の壁面材９を「ふかし」て取り付ける。この時補強間柱１４が必要に応じて設けられ、対応する間柱１２にビス止めされる。然る後、新設の壁面材９の内側の突出端部の背面側にてパネル取付材３ａ・３ｃ〜３ｎの内側面に照明器具５を設置し、同様に配線用空隙Ｋを通して照明器具５の配線６を新設壁内に配置する。
【００４２】
最後に新設の壁面材９の内側の突出端部にパネル側端納め部材２４を取り付け、その遮光片２４ａにて露光隙間Ｒを形成する。
点灯すると、上記同様、露光隙間Ｒからふかしパネル１側に光が漏れて間接照明となる。
【００４３】
次に、第５実施例に付いて説明する。この場合は凹型ふかし壁Ｂの新設壁に対する施工方法である（なお、説明は図６に沿って簡単に行うが、新設壁の場合は、既設の壁面材７が存在しない。）。この場合は上記のように、柱１１や間柱１２が剥き出しとなっている。従って、凹型ふかし壁Ｂのふかしパネル１の設置幅に合わせて、剥き出しの柱１１の室内側露出面１１ａの内側縁辺の間に架設されるように第１実施例のふかしパネル１を張る。
【００４４】
そして、張ったふかしパネル１の側面に沿い、複数のパネル取付材３ａ〜３ｎの内、設置される照明器具５の配線６に合わせて選択されたパネル取付材３ａ・３ｃ〜３ｎを柱１１にビス止めする。そして、第４実施例と同様、新設の壁面材９、補強間柱１４、照明器具５の設置、配線６などが行われる。
【００４５】
第６実施例は、凸型ふかし壁Ａにおいて、パネル取付材３ａ〜３ｎに代えて、複数本個に分割された補強材３１ａ〜３１ｎと、ふかし壁Ａの高さに合致した長さの下地板３２と、所定間隔で配線孔３３ａが穿設された縦片３３ｂとこれから断面Ｔ形に延出された横片３３ｃとを有し、下地板３２と同じ長さの表面材３３とを用いる場合である。複数本個に分割された補強材３１ａ〜３１ｎがパネル取付材３ａ〜３ｎと同等の働きをなす。なお、補強材３１ａ〜３１ｎ及び下地板３２は、パネル取付材３ａ〜３ｎと同じ材質のものが用いられている。
【００４６】
表面材３３は、設置時、その縦片３３ｂが配線用間隙Ｋを覆ってしまうので、いずれかの配線孔３３ａが配線用間隙Ｋに一致するように所定間隔で縦片３３ｂに穿設されている。表面材３３の材質はパネル取付材３ａ〜３ｎと同じ材質、或いはアルミニウム押出成形品などが使用される。
【００４７】
上記下地板３２は、柱１１の室内側露出面１１ａにビス止めにて設置される。複数の補強材３１ａ〜３１ｎは、その内で、設置される照明器具５の配線６に合わせて選択され、選択された補強材３１ａ・３１ｃ〜３１ｎがそれぞれ下地板３２に上下方向に一列にビス止めされる。排除された補強材３１ｂの空隙部分は配線用空隙Ｋとなる。
【００４８】
上下方向に並んだ補強材３１ａ・３１ｃ〜３１ｎの外側面に表面材３３の縦片３３ｂが取り付けられ、横片３３ｃにて補強材３１ａ・３１ｃ〜３１ｎの表面が覆われ、横片３３ｃが補強材３１ａ・３１ｃ〜３１ｎビス止めされる。前記縦片３３ｂには多数の配線孔３３ａが設けられており、いずれかの配線孔３３ａが配線用空隙Ｋに一致してこれを閉塞しないようになっている。
【００４９】
そして、左右の表面材３３の横片３３ｃ間に架設されるようにふかしパネル１が取り付けられ、更に前記ふかしパネル１の背面側にて表面材３３の縦片３３ｂの外側面に照明器具５を設置される。照明器具５の配線６は前記縦片３３ｂの配線孔３３ａ及び前記配線用空隙Ｋを通して既設壁、又は新設壁内に配置される。
最後にパネル側端納め部材２４のコ字状部２４ａがふかしパネル１と表面材３３の横片３３ｃに嵌め込まれて固定され、上記同様、遮光片２４ｂにて露光間隙Ｒが形成される。
【００５０】
第７実施例（凹型ふかし壁Ｂ）は、表面材３３の取り付けが第６実施例と逆（露光間隙Ｒが内側に来る。）で、使用する部材は同じである。下地板３２や、複数の補強材３１ａ〜３１ｎ、照明器具５、配線６の取り付け手順も上記のように凸型と凹型との違いだけで、基本的には同じである。
【００５１】
即ち、選択された補強材３１ａ・３１ｃ〜３１ｎはそれぞれ下地板３２に上下方向にビス止めされ、排除された補強材３１ｂの空隙部分は配線用空隙Ｋとなる。そして、上下方向に並んだ補強材３１ａ・３１ｃ〜３１ｎの内側面に表面材３３の縦片３３ｂが取り付けると共に横片３３ｃにて補強材３１ａ・３１ｃ〜３１ｎの表面を覆い、ビス止めされる。
【００５２】
ふかしパネル１の両側にて左右の表面材３３の横片３３ｃに新設の壁面材９が取り付けられる。必要に応じて補強間柱１４が対応する間柱１２にビス止めされる。
新設の壁面材９の背面側にて表面材３３の縦片３３ｂの内側面に沿って照明器具５を設置され、その配線６が縦片３３ｂの配線孔３３ａ及び前記配線用空隙Ｋを通して既設壁、又は新設壁内に配置される。
【００５３】
以上のように、本発明は、ふかし壁Ａ・Ｂの部材、特にパネル取付材３ａ〜３ｎや、補強材３１ａ〜３１ｎを細かく分割しているので、単純に組み立てやすいというだけでなく、持ち上げる作業などが少なく、少人数での施工が可能である。しかも、これらの内、照明器具５に合わせて使用しない部材を選択することで簡単に配線用間隙Ｋを設けることが出来、現場施工が非常に簡便となる。
【符号の説明】
【００５４】
Ａ：凸型ふかし壁、Ｂ：凹型ふかし壁、Ｈ：照明器具収納空間、Ｋ：配線用空隙、Ｒ：露光間隙、１：ふかしパネル、１ａ：分割パネル、３（３ａ〜３ｎ）：パネル取付材、３ｂ：排除されたパネル取付材、４：既設コンセント、５：照明器具、６：配線、７：既設（壁）の壁面材、９：新設の壁面材、１１：柱、１１ａ：室内側露出面、１２：間柱、１２ａ：室内側露出面、１４：補強間柱、２０：見切材、２２：ジョイント部材、２２ａ：縁被覆片、２２ｂ：脚片、２４：パネル側端納め部材、２４ａ：コ字状部、２４ｂ：遮光片、３１（３１ａ〜３１ｎ）：補強材、３１ｂ：排除された補強材、３２：下地板、３３：表面材、３３ａ：配線孔、３３ｂ：縦片、３３ｃ：横片。
【図１】
2018155025.tif 000003
【図２】
2018155025.tif 000004
【図３】
2018155025.tif 000005
【図４】
2018155025.tif 000006
【図５】
2018155025.tif 000007
【図６】
2018155025.tif 000008
【図７】
2018155025.tif 000009
【図８】
2018155025.tif 000010
【図９】
2018155025.tif 000011
【図１０】
2018155025.tif 000012
【図１１】
2018155025.tif 000013
【図１２】
2018155025.tif 000014
【図１３】
2018155025.tif 000015